(57)【要約】【課題】構成が簡易であり、昇降アームにかかる荷重に関わらずスムーズに昇降移動することのできる消防用のホース乾燥装置を提供することを課題とする。【解決手段】立設した支柱の上部側に水平方向に取り付けられた上部アームと、支柱の下部側に取り付けられたエンドレス状のウインチと、前記上部アームに取り付けられた複数の上部滑車と、支柱の下部側でウインチと所望の距離をあけて並行に取り付けられた下部滑車と、該ウインチから上部滑車を介して下部滑車間にエンドレス状に吊り張りしたワイヤロープと、ウインチを駆動した際、同一方向に移動するワイヤロープにその両端側を固定し、水平状態に取り付けられた昇降アームとから構成されている。【選択図】図１
2011235067.tif 000002
【特許請求の範囲】
【請求項１】
立設した支柱の下部側に設けられたウインチと、支柱の上部側に取り付けられた上部アーム体と、該上部アーム体の設けられた複数の上部滑車と、ウインチと上部滑車間に吊り張りしたワイヤロープと、該ワイヤロープに取り付けられ、昇降移動する昇降アームと、該昇降アームに取り付けられたホースハンガーとから構成された消防用のホース乾燥装置において、前記ウインチと間隔をあけて並行位置に下部滑車を設け、ウインチから上部滑車を介して下部滑車へとワイヤロープをエンドレス状に吊り張りし、且つウインチを駆動した際、同方向に移動するワイヤロープに昇降アームの両端側を取り付けたことを特徴とする消防用のホース乾燥装置。
【発明の詳細な説明】
【発明の詳細な説明】
【技術分野】
【０００１】本発明は、放水使用によって濡れた消防用ホースを乾燥するのに使用する消防用のホース乾燥装置に関する。
【背景技術】
【０００２】消防用のホースは、布製で放水時に濡れるとともに泥等で汚れるために、使用後はホースを洗浄して汚れを落とした後、乾燥する必要がある。このため消防署内の高所よりホースを吊るして天日干しすることで乾燥していたが、濡れたホースは重量がまし、高所に持ち上げ、また高所より吊る作業は作業者の負担が大きい。【０００３】このため、例えば、次のような乾燥装置が提案された。即ち、乾燥室の内部に遠赤外線放射乾燥機を設置し、放射される遠赤外線の放射熱と熱放射管によって加熱されて上昇され、循環ファンによって送られた温風吹き出しパイプから吹き出される温風とによって、消防用ホースを乾燥する消防ホース用乾燥装置である。（特開２０００−１４６４３７）【０００４】上記装置は、比較的短時間で濡れたホースを乾燥することができるが、機械乾燥は装置のコスト及び乾燥時の電気消費量が大きく、その採用に多くの問題点があった。【０００５】そこで、天日干し方式の支柱を用いたホース乾燥装置が開発された。この装置は、支柱の下方側に下部アームを固定し、上部側に上部アームを固定し、上部アームに２個の滑車を配設し、ウインチから操り出された２本のワイヤロープの一方のワイヤロープは滑車を介して昇降アームの一端に固定し、他方のワイヤロープも滑車を介して昇降アームの他端に固定する。昇降アームの両端をワイヤロープの合流部及びガイドロープに遊嵌し該昇降アームにはホースハンガーが取り付けられている。（特開２００５−１９８６７５）【０００６】その後、ウインチを駆動することで昇降アームを下降し、ホースハンガーにホースを取り付け、その後昇降アームを上昇することでホースを吊り下げ、天日干しで乾燥する。
【発明が解決しようとする課題】
【０００７】上記支柱を用いた装置は、ウインチから繰り出された２本のワイヤロープをを合流部で１本に形成したり、またはガイドロープを吊り張りする等のその構成が煩雑である欠点がある。
【０００８】また、昇降アームはその両端側にそれぞれワイヤロープを連結しているために、ホースをホースハンガーに取り付けない場合は、昇降アームの荷重が不十分で、特に下降時はワイヤロープの引き出しに対して、昇降アームの下降移動が連動しないためにスムーズな昇降移動ができないという問題点があった。
【０００９】本発明は、上記課題を解決するものであって、構成が簡易であり、且つ昇降移動が荷重に関わらずスムーズに行うことができる消防用のホース乾燥装置を提供することを目的とするものである。
【課題を解決するための手段】
【００１０】立設した支柱の下部側に設けられたウインチと、支柱の上部側に取り付けられた上部アーム体と、該上部アーム体の設けられた複数の上部滑車と、ウインチと滑車間に吊り張りしたワイヤロープと、該ワイヤロープに取り付けられ、昇降移動する昇降アームと、該昇降アームに取り付けられたホースハンガーとから構成された消防用のホース乾燥装置において、前記ウインチと間隔をあけて並行位置に下部滑車を設け、且つウインチから上部滑車を介して下部滑車間でワイヤロープをエンドレス状に吊り張りし、ウインチを駆動した際、同方向に移動するワイヤロープに昇降用アームを取り付けたことを特徴とする。
【発明の作用及び効果】
【００１１】本発明の消防用のホース乾燥装置は、上部に水平方向の上部アーム体の設けられた支柱を所望の位置に立設し、該上部アーム体に複数個の滑車を取り付け、支柱の下部にウインチを取り付け、該ウインチと間隔をあけて並行位置に下部滑車を設ける。
【００１２】この状態で、ワイヤロープをウインチの駆動ドラム、各上部滑車を介して下部滑車にエンドレス状に吊り張りする。
【００１３】その後、ウインチより取り出されるワイヤロープ部分と、下部滑車より取り出されるワイヤロープ、又はウインチに取り込むワイヤロープ部分と下部滑車に取り込むワイヤロープ部分の同一方向の移動するワイヤロープに昇降アームの両端側を固定し該昇降アームにホースハンガーを取り付けることで、消防用ホース乾燥装置を構成する。
【００１４】次に、上記消防用のホース乾燥装置を使用する場合は、先ずウインチを駆動することでワイヤロープをエンドレス状に移動し、昇降アームを下降して、該昇降アームに取り付けられたホースハンガーに、濡れた複数本のホースの一端側を取り付ける。
【００１５】その後、ウインチを再度逆方向に駆動することでワイヤロープをエンドレス状に移動し、昇降アームを上昇して、ホースハンガーに取り付けられたホースを吊り下げる。この状態で、ホースを天日干しする。
【００１６】次に、ホースが乾燥すると、再度ウインチを鼓動することでワイヤロープをエンドレス状に移動し昇降アームを下降して、ホースハンガーよりホースを取り外すことでホースの乾燥を終える。
【００１７】このように、昇降アームはワイヤロープの移動に伴って確実に昇降移動するために、昇降アームに係る過重の大きさに係わらずスムーズな移動を可能とする。このため１本のホースであっても天日干しすることができる。
【００１８】また、ワイヤロープがエンドレス状に吊り張りするために、ワイヤロープの吊り張り及びメンテナンスを容易行うことができる。
【００１９】このように、本発明の消防用のホース乾燥装置は、その構成が簡易であり、従来にないスムーズな昇降アームの移動を可能とする。また、従来の装置に比しその取り扱いが容易である。
【発明を実施するための最良の形態】
【００２０】次に、本発明に係る消防用のホース乾燥装置の一実施例を、図面を参照して説明する。【００２１】図１は本発明の消防用の乾燥装置を示す概略説明側面図であり、図２は消防用のホース乾燥措置の使用状態を示す概略説明側面図であり、図３は昇降アーム及びホースハンガー示す概略説明平面図であり、図４は消防用のホース乾燥装置の他実施例を示す概略説明一部拡大側面図である。【００２２】本発明の消防用のホース乾燥装置１は、基台２に立設した支柱３と、該支柱３の上端側で水平方向に突出して固定された板状の上部アーム体４と、支柱３の下端側に取り付けられたエンドレス方式のウインチ５と、該ウインチ５と所望の間隔をあけて基台２の他端側に固定された下部滑車６と、前記上部アーム体４に取り付けられた４個の上部滑車７（７ａ、７ｂ、７ｃ、７ｄ）と、ウインチ５の巻回ドラム８から上部滑車７を介して下部滑車６間にエンドレス状に吊り張りしたワイヤロープ９と、該ワイヤロープ９の同一方向に移動する部分にその両端側を固定した昇降アーム１０と、該昇降アーム１０に取り付けられたホースハンガー１１とから構成されている。【００２３】上記上部滑車７は、板状の上部アーム体４の下面に滑車７ａと滑車７ｄとをそれぞれ上部アーム体４の相対する端部側に取り付け、滑車７ｂと滑車７ｃとをそれぞれ滑車７ａと滑車７ｄの内側に取り付ける。これにより、滑車７ａ、滑車７ｂ、滑車７ｃ、滑車７ｄの順で上部アーム体４に取り付けられる。【００２４】上記ワイヤロープ９は、ウインチ５の巻回ドラム６から取り出された後、滑車７ａを介して滑車７ｄを通り下部滑車６へ、その後下部滑車６から滑車７ｃを介して滑車７ｂを通りウインチ５の巻回ドラムに取り込まれる。従って、ウインチ５を駆動すると、上記ワイヤロープ９は、ウインチ５と上部滑車７（７ａ）間Ａと、下部滑車６と上部滑車７（７ｃ）間Ｃとが同一方向に移動し、ウインチ５と上部滑車７（７ｂ）間Ｂと、下部滑車６と上部滑車７（７ｄ）間Ｄとが同一方向に移動する。【００２５】このために、上記昇降アーム１０は、この同一方向に移動する間Ａと間Ｃとに固定して水平に取り付け、間Ｂと間Ｄとは所望の孔を穿孔して遊嵌することで、容易に取り付けすることができる。尚、昇降アーム１０の取り付けは、上記と逆に間Ｂと間Ｄとに固定し、間Ａと間Ｃとを遊嵌するように取り付けることも可能である。【００２６】従って、昇降アーム１０は、ワイヤロープ９の間Ａと間Ｃとにより昇降移動方向の安定した移動が保たれ、間Ｂと間Ｄとにより移動方向が一定にガイドされることとなり、荷重の大小に関わらずスムーズに移動することができる。【００２７】上記ホースハンガー１１には、ホース２０の上端側を固定する取り付け具１５が複数個取り付けられている。【００２８】上記ウインチ５は、巻回ドラム８の外周縁に沿ってワイヤロープ９を巻き付けるための溝（図示せず）が形成され、該溝側にワイヤロープ９を押圧するための押圧手段が設けられているために、エンドレス状に吊り張りしたワイヤロープ９は弛みや撓みを発生することなく移動することができる。【００２９】上記支柱３の下方側及び上方側に昇降アーム１０の最下降位置及び最上昇位置を決定するためのストッパー１２が取り付けられている。【００３０】本発明の消防用のホース乾燥装置１は、上記のように構成され、次に該装置１を用いてホース２０を乾燥する場合について説明する。【００３１】先ず、ウインチ５を駆動することでワイヤロープ９をエンドレス状に移動し同一方向に移動する間Ａと間Ｃとを下降することで、昇降アーム１０をストッパー１２の位置まで下降する。【００３２】その状態で、放水で濡れたホースの先端側をそれぞれホースハンガー１１の取り付け部１５に取り付ける。【００３３】その後、ウインチ５を再度駆動してワイヤロープ９をエンドレス状に移動し、同一方向に移動する間Ａと間Ｃとを上昇することで、昇降アーム１０をストッパー１２の位置まで上昇する。【００３４】この状態で、ホース２０はホースハンガー１１に吊り下げられることとなり、天日干しすることができる。【００３５】ホース２０の天日干しが終了すると、再度ウインチ５を駆動してワイヤロープ９をエンドレス状に移動し、同一方向に移動する間Ａと間Ｃとを下降することで、昇降アーム１０をストッパー１２の位置まで下降する。【００３６】この状態で、ホース２０をホースハンガー１１より取り外してホース２０の乾燥を終了する。【００３７】このように、本発明の消防用のホース乾燥装置１は、下方位置でホースハンガー１１にホース２０を取り付けるだけの作業で、ホース２０の天日干しを行うことができ、作業効率を格段に向上することができる。【００３８】また、昇降アーム１０はエンドレス状に移動するワイヤロープ９に固定していることで、スムーズに昇降移動することができる。【００３９】また、装置の構成が簡易であり、トラブルが少なくメンテナンスを多く必要としない。【００４０】尚、上記実施例では、昇降アーム１０を同一方向に移動する間Ａと間Ｃとに固定したが、本発明において昇降アーム１０の固形方法はこの方法に限定されるものでなく、例えば、ガイドワイヤー１４を利用し、昇降アーム１０の一端側を移動する間Ａに固定し、多端側をガイドワイヤー１４に遊嵌するとともに連結体を介して間Ｃに固定することも可能である。
【図面の簡単な説明】
【００４０】
【図１】本発明の消防用のホース乾燥装置の一実施例を示す概略説明側面図
【図２】消防用のホース乾燥装置の使用状態を示す概略説明側面図
【図３】昇降アーム及びホースハンガーを示す概略説明平面図
【図４】本発明の消防用のホース乾燥装置の他実施例を示す概略一部拡大側面図
【符号の説明】
【００４１】１    消防用のホース乾燥装置
３    支柱
４    上部アーム体
５    ウインチ
９    ワイヤロープ
１０  昇降アーム
【図１】
2011235067.tif 000003
【図２】
2011235067.tif 000004
【図３】
2011235067.tif 000005
【図４】
2011235067.tif 000006